(57)【要約】【課題】トランスポートストリームに多重化されたテーブルをキャッシュする制御において、テーブルのバージョンアップ、追加、消失という変化にフィルタ資源を浪費せずに最適にキャッシュを更新する。【解決手段】デジタル放送装置はトランスポートストリームに有効テーブル情報（ＡＴＴ）を多重して放送し、受信装置のＡＴＴ監視部１２８は、ＡＴＴのアップデートを常時監視し、バージョンアップ毎に有効テーブル情報リストを作成する、キャッシュ制御部１２９は、前記有効テーブル情報リストとキャッシュ情報リストと比較し、バージョンアップ、または追加されたテーブルがあるとき、フィルタ資源を割り当てて当該テーブルのキャッシュを更新し、消失したとき、当該テーブルのキャッシュをクリアする。【選択図】  図１
2004254130.tif 000002
【特許請求の範囲】
【請求項１】
映像・音声データが多重化されたトランスポートストリームを受信して映像・音声データを出力するデジタル放送受信装置であって、
前記トランスポートストリームに繰り返し多重化され、前記映像・音声データの抽出と出力とのための情報が記載されたテーブル類を抽出する第１抽出手段と、
抽出されたテーブル類を記憶する記憶手段と、
前記トランスポートストリームに繰り返し多重化され、前記テーブル類それぞれの識別情報とバージョン番号とを記載した情報テーブルを抽出する第２抽出手段と、
抽出された情報テーブルを解釈し、バージョン番号の更新された識別情報で識別されるテーブルだけを前記第１抽出手段に抽出させ、前記記憶手段の内容を更新させる制御手段とを備えることを特徴とするデジタル放送受信装置。
【請求項２】
前記情報テーブルには、自身のバージョン番号が記載されており、前記テーブル類の識別情報とバージョン番号とに変更があるとき、自身のバージョン番号が更新されており、
前記第２抽出手段は、情報テーブルのバージョン番号が更新されたとき、情報テーブルを抽出することを特徴とする請求項１記載のデジタル放送受信装置。
【請求項３】
前記テーブル類は、トランスポートストリームパケットにセクション形式のテーブルとして各々収容され、各テーブルは、パケット識別子とテーブル識別子とで識別され、
前記第１抽出手段は、パケットフィルタとセクションフィルタとを有し、
前記制御手段は、
前記第１抽出手段で抽出され、記憶手段に記憶されている各テーブルの前記情報テーブルの対応する内容を記載した情報リストを作成する情報リスト作成部と、
前記情報リストに記載のバージョン番号と前記第２抽出手段で抽出された情報テーブルの各テーブルのバージョン番号とを比較する比較部と、
前記比較部で情報テーブルに記載されたテーブルのバージョン番号の更新されたテーブルを識別するパケット識別子をパケットフィルタに、テーブル識別子をセクションフィルタにそれぞれ設定するフィルタ条件設定部とを有することを特徴とする請求項２記載のデジタル放送受信装置。
【請求項４】
前記情報テーブルに記載された識別情報は、各テーブルのパケット識別子とテーブル識別子であることを特徴とする請求項３記載のデジタル放送受信装置。
【請求項５】
前記第１抽出手段は、前記フィルタ条件設定部によりパケットフィルタとセクションフィルタに抽出条件を設定され、テーブルを抽出したときには、バージョン番号の古いテーブルが前記記憶手段に記憶されているとき、当該テーブルに上書きすることを特徴とする請求項３記載のデジタル放送受信装置。
【請求項６】
前記情報テーブルには、更にテーブル類それぞれが前記トランスポートストリームに多重化されているか否かを示すフラグが記載されており、
前記制御手段は、
多重化されていないことを示すフラグが記載されたテーブルを前記記憶手段から削除し、前記情報リストから削除する削除部を有することを特徴とする請求項３記載のデジタル放送受信装置。
【請求項７】
前記情報テーブルには、更に、テーブル類それぞれの有効期限が記載されており、
前記制御手段は、
前記有効期限の始期に到達したとき当該テーブルを抽出し、前記有効期限の終期に到達したとき当該テーブルを削除するスケジュールを作成するスケジュール作成部を有し、
前記フィルタ条件設定部と削除部とは、前記スケジュールに従い処理することを特徴とする請求項６記載のデジタル放送受信装置。
【請求項８】
映像・音声データをトランスポートストリームに多重化する第１多重化手段と、
映像・音声データの受信装置での出力とのための情報を記載したテーブル類を前記トランスポートストリームに繰り返し多重化する第２多重化手段と、
前記テーブル類それぞれの識別情報とバージョン番号とを記載し、各テーブルが更新されたとき、自身のバージョン番号を更新した情報テーブルを前記トランスポートストリームに繰り返し多重化する第３多重化手段と、
前記第１、第２、第３多重化手段で多重化されたトランスポートストリームを前記受信装置に送信する送信手段とを備えることを特徴とするデジタル放送装置。
【請求項９】
映像・音声データが多重化されたトランスポートストリームを受信して映像・音声データを出力するデジタル放送受信装置に適用されるデジタル放送受信プログラムであって、
前記トランスポートストリームに繰り返し多重化され、前記映像・音声データの抽出と出力とのための情報が記載されたテーブル類を抽出する第１抽出手段と、
抽出されたテーブル類を記憶領域に記録する記録手段と、
前記トランスポートストリームに繰り返し多重化され、前記テーブル類それぞれの識別情報とバージョン番号とを記載した情報テーブルを抽出する第２抽出手段と、
抽出された情報テーブルを解釈し、バージョン番号の更新された識別情報で識別されるテーブルだけを前記第１抽出手段に抽出させ、前記記憶領域の内容を更新させる制御手段との各手段の機能をコンピュータに発揮させるデジタル放送受信プログラム。
【発明の詳細な説明】
本発明は、映像・音声データが多重化されたトランスポートストリームを送受信するデジタル放送受信装置及びデジタル放送装置に関する。
【０００１】
【従来の技術】
デジタルＴＶ放送は、映像データや音声データから構成される番組の他にデータ番組も放送され、これらの番組は、トランスポートストリームに多重化され放送されている。これらの番組を受信装置で受信するため、種々の情報が同時にトランスポートストリームに多重化され、放送されている。これらの情報は、セクション形式のテーブルとして繰り返し放送されている（例えば、非特許文献１参照）。
【０００２】
例えば、ヨーロッパのデジタル放送として著名なＤＶＢ（Ｄｉｇｉｔａｌ  Ｖｉｄｅｏ  Ｂｒｏａｄｃａｓｔｉｎｇ）規格では、ＭＰＥＧ２（Ｍｏｖｉｎｇ  Ｐｉｃｔｕｒｅ  Ｅｘｐｅｒｔｓ  Ｇｒｏｕｐ  ２）規格でＰＳＩ（Ｐｒｏｇｒａｍ  Ｓｐｅｃｉｆｉｃ  Ｉｎｆｏｒｍａｔｉｏｎ）プログラム仕様情報として定義されたＰＡＴ（Ｐｒｏｇｒａｍ  Ａｓｓｏｃｉａｔｉｏｎ  Ｔａｂｌｅ）番組表、ＰＭＴ（Ｐｒｏｇｒａｍ  Ｍａｐ  Ｔａｂｌｅ）番組対応表、ＣＡＴ（Ｃｏｎｄｉｔｉｏｎａｌ  Ａｃｃｅｓｓ  Ｔａｂｌｅ）等（例えば、非特許文献２参照）以外にＳＩ（Ｓｅｒｖｉｃｅ  Ｉｎｆｏｒｍａｔｉｏｎ）として定義されたＮＩＴ（Ｎｅｔｗｏｒｋ  Ｄｉｓｃｒｉｐｔｉｏｎ  Ｔａｂｌｅ）、ＳＤＴ（Ｓｅｒｖｉｃｅ  Ｄｉｓｃｒｉｐｔｉｏｎ  Ｔａｂｌｅ）、ＥＩＴ（ＥｖｅｎｔＩｎｆｏｒｍａｔｉｏｎ  Ｔａｂｌｅ）、ＴＯＴ（Ｔｉｍｅ  Ｏｆｆｓｅｔ  Ｔａｂｌｅ）、ＴＤＴ（Ｔｉｍｅ  ａｎｄ  Ｄａｔａ  Ｔａｂｌｅ）等（例えば、非特許文献３参照）、様々なテーブル類が放送されている。
【０００３】
これらのテーブル類は、トランスポートストリームから分離抽出され、メモリに記憶され、番組のチューニング、オーディオ／ビデオの切り替え、ＥＰＧの表示などに利用される。
これらのテーブル類の分離、抽出の技術は、例えば、特許文献１に開示されている。これらの分離抽出には複数のフィルタが用いられている（例えば、非特許文献４参照）。
【０００４】
【特許文献１】
特開平１１−１１２８９７号公報
【０００５】
【非特許文献１】
ＥＴＳＩ  ＥＮ３００  ４６８（第１２頁、Ｆｉｇｕｒｅ２）
【０００６】
【非特許文献２】
ＩＳＯ／ＩＥＣ  １３８１８−１（第４１頁  ２．４．４章）
【０００７】
【非特許文献３】
ＩＳＯ／ＩＥＣ  １３８１８−１（第４１頁  Ｔａｂｌｅ２−２５）
【０００８】
【非特許文献４】
電子技術２０００  Ｖｏｌ．４２  Ｎｏ．９（第２４頁、表２）
【０００９】
【発明が解決しようとする課題】
ところで、番組の進行とともに、これらのテーブル類も更新される。テーブル類には、バージョン番号が付されており、分離、抽出されたテーブルと、メモリに記憶されたテーブルとのバージョン番号を比較し、バージョン番号が同一なら廃棄され、更新されているときは、メモリの内容が更新される。このため、テーブル類を常時、分離、抽出するために多数のフィルタを用意する必要がある。
【００１０】
また、特定のテーブルが不要となり、トランスポートストリームへの多重化が停止され放送されなくなった場合には、そのテーブルの分離、抽出のために割り当てられたフィルタでは、そのテーブルを分離、抽出することができないので、メモリには、不要となった特定のテーブルがいつまでも記憶され、無駄にメモリを消費することになる。
【００１１】
本発明は、ハードウェア資源であるフィルタを多用しないで、また、メモリを効率的に活用することのできるデジタル放送受信装置及びデジタル放送装置を提供することを目的とする。
【００１２】
【課題を解決するための手段】
上記課題を解決するため、本発明は、映像・音声データが多重化されたトランスポートストリームを受信して映像・音声データを出力するデジタル放送受信装置であって、前記トランスポートストリームに繰り返し多重化され、前記映像・音声データの抽出と出力とのための情報が記載されたテーブル類を抽出する第１抽出手段と、抽出されたテーブル類を記憶する記憶手段と、前記トランスポートストリームに繰り返し多重化され、前記テーブル類それぞれの識別情報とバージョン番号とを記載した情報テーブルを抽出する第２抽出手段と、抽出された情報テーブルを解釈し、バージョン番号の更新された識別情報で識別されるテーブルだけを前記第１抽出手段に抽出させ、前記記憶手段の内容を更新させる制御手段とを備えることとしている。
【００１３】
また、本発明は、映像・音声データをトランスポートストリームに多重化する第１多重化手段と、映像・音声データの受信装置での出力とのための情報を記載したテーブル類を前記トランスポートストリームに繰り返し多重化する第２多重化手段と、前記テーブル類それぞれの識別情報とバージョン番号とを記載し、各テーブルが更新されたとき、自身のバージョン番号を更新した情報テーブルを前記トランスポートストリームに繰り返し多重化する第３多重化手段と、前記第１、第２、第３多重化手段で多重化されたトランスポートストリームを前記受信装置に送信する送信手段とを備えることとしている。
【００１４】
【発明の実施の形態】
以下、本発明に係るデジタル放送受信装置及びデジタル放送装置の実施の形態を図面を参照しながら説明する。
（実施の形態１）
図１は、本発明に係るデジタル放送装置とデジタル放送受信装置の一実施の形態の構成図である。
【００１５】
デジタル放送装置１０１は、映像データ記憶部１０２と、音声データ記憶部１０３と、第１多重化部１０４と、テーブル記憶部１０５と、第２多重化部１０６と、情報テーブル生成部１０７と、情報テーブル記憶部１０８と、第３多重化部１０９と、送信部１１０とを備えている。
デジタル放送受信装置は、チューナ１２２と、復調器１２３と、ＴＳデコーダ１２４と、ＡＶデコーダ１２５と、ＣＰＵ１２６と、制御ソフトウェア１２７で実現される有効テーブル情報テーブル監視部１２８と、キャッシュ制御部１２９と、メモリ１３１と、を備えている。ＴＳデコーダ１２４は、ＰＩＤフィルタ１３３とセクションフィルタ１３４とを含んでいる。
【００１６】
先ず、デジタル放送装置１０１について説明する。
映像データ記憶部１０２は、放送番組を構成する映像データをエレメンタリーストリームの形式で記憶している。音声データ記憶部１０３は、放送番組を構成する音声データをエレメンタリーストリームの形式で記憶している。第１多重化部１０４は、映像データ記憶部１０２に記憶された映像データと、音声データ記憶部１０３に記憶された音声データとをそれぞれ、トランスポートストリームパケットに収容し、多重化して送信部１１０に出力する。
【００１７】
テーブル記憶部１０５は、ＭＰＥＧ２規格のＰＳＩとして定義されるＰＡＴ，ＰＭＴやＳＩとして定義されるＮＩＴ，ＳＤＴ，ＥＩＴ等のテーブル類をセクション形式で記憶している。
第２多重化部１０６は、これらのテーブル類を読み出し、トランスポートストリームパケットに収容し、繰り返し多重化して送信部１１０に出力する。
【００１８】
情報テーブル生成部１０７は、第２多重化部１０６から出力される各テーブルが更新されたか否かを判定できる有効テーブル情報テーブル（Ａｖａｉｌａｂｌｅ  Ｔａｂｌｅ  Ｉｎｆｏｒｍａｔｉｏｎ  Ｔａｂｌｅ  以下「ＡＴＴ」という。）を生成する。
図２は、ＡＴＴのデータ構造の一例を示す図である。
【００１９】
ＡＴＴ２０１には、ＡＴＴ自身のバージョン番号２０２とこのＡＴＴに記載されているテーブル類の総数である要素数２０３と、各テーブルについての情報２０４とが記載されている。バージョン番号２０２は、各テーブルについての情報２０４が更新されたとき、バージョンアップされた番号が記載される。
各テーブルについての情報２０４には、テーブルを識別する識別情報２０５とバージョン番号２０６と有無フラグ２０７と有効期限２０８とが含まれる。
【００２０】
識別情報２０５は、テーブル名で示されてもよいが、テーブルが収容されるパケット識別子（ＰＩＤ）とテーブル識別子（ｔａｂｌｅ＿ｉｄ）とで示されてもよい。
バージョン番号２０６は、テーブルが更新されたときに更新される。
有無フラグ２０７は、テーブル記憶部１０５に記憶されているテーブルが第２多重化部１０６でトランスポートストリームに多重化されているとき、「有」（ｅｘｉｓｔ）とされ、多重化が停止されたとき、又はまだ開始されていないとき「無」（ｎｏｎ）とされる。
【００２１】
有効期限２０８は、トランスポートストリームに多重化され、放送される開始時刻と終了時刻とが記載され、この値が、例えば「−１」のときには、無効値であり、有効期限はないものとされる。
情報テーブル生成部１０７は、テーブル記憶部１０５に記憶されている各テーブルの識別情報２０５とバージョン番号２０６と有効期限２０８とを抽出し、第２多重化部１０６から多重化されるテーブルの有無フラグ２０７を「ｅｘｉｓｔ」にする。なお、識別情報２０５にＰＩＤとｔａｂｌｅ＿ｉｄとを示すとき、第２多重化部１０６でｔａｂｌｅ＿ｉｄが決定されるときには、そのｔａｂｌｅ＿ｉｄを抽出する。
【００２２】
情報テーブル記憶部１０８は、情報テーブル生成部１０７で生成されたＡＴＴ２０１を記憶する。
第３多重化部１０９は、情報テーブル記憶部１０８からＡＴＴ２０１を読み出し、繰り返しトランスポートストリームに多重化して、送信部１１０に出力する。
【００２３】
送信部１１０は、第１多重化部１０４、第２多重化部１０６、第３多重化部１０９から出力されたトランスポートストリームをデジタル放送受信装置１２１に送信する。
図３は、送信部１１０から送信されるトランスポートストリームの第２多重化部１０６と第３多重化部１０９とから出力されたトランスポートストリームパケットを模式的に示した図である。なお、テーブル類には、これ以外のテーブルも存在するけれども、省略している。
【００２４】
トランスポートストリーム３０１の右方向に行く程、時間が経過している。図３の左側に記載されたＰＩＤは、各テーブルが収容されたトランスポートストリームパケットの識別子である。
時刻ｔ１において、テーブル「ＰＡＴ」、「ＥＩＴ（１）」が更新されたテーブル「ＰＡＴ’」、「ＥＩＴ（１）’」となり、テーブル「ＳＤＴ（３）」、「ＰＭＴ（３）」が送信されなくなり、新たにテーブル「ＳＤＴ（４）」が送信される。これに伴いテーブル「ＡＴＴ」もバージョン番号を更新されたテーブル「ＡＴＴ’」となる。
【００２５】
デジタル放送装置１０１は、第１多重化部１０４で多重化された映像データ、音声データのトランスポートストリームを図３に示したトランスポートストリームとともに放送している。
次に、デジタル放送受信装置１２１について説明する。
チューナ１２２は、ＣＰＵ１２６の制御に従い、デジタル放送装置１０１から放送されるＲＦ（Ｒａｄｉｏ  Ｆｒｅｑｕｅｎｃｙ）信号をアンテナを介して受信する。
【００２６】
復調器１２３は、チューナ１２２で受信されたＲＦ信号をデジタル化したトランスポートストリームとし、ＴＳデコーダ１２４に出力する。
ＴＳデコーダ１２４は、復調器１２３から出力されたトランスポートストリームをＰＩＤフィルタ１３３に設定されたフィルタ条件でトランスポートストリームパケットを分離抽出し、映像データ、音声データは、ＡＶデコーダ１２５に出力する。
【００２７】
テーブル類は、ＰＩＤフィルタ１３３に設定されたフィルタ条件で分離、抽出された後、更にセクションフィルタ１３４により分離、抽出される。なお、このフィルタ条件は、後述する制御ソフトウェア１２７で実現されるキャッシュ制御部１２９によって設定される。
また、分離、抽出された各テーブルは、キャッシュ制御部１２９の制御により、メモリ１３１に記憶される。
【００２８】
ＡＶデコーダ１２５は、ＴＳデコーダ１２４から入力された映像データ、音声データのトランスポートストリームパケットをデコードし、モニタやスピーカに映像、音声として出力させる。
ＣＰＵ１２６は、制御ソフトウェアによって、本装置の各部を制御する。なお、デジタル放送受信装置１２１を視聴する視聴者からの指示を受け、放送番組の映像データや音声データを出力する制御については、本発明の本旨とするところではないので説明を省略する。
【００２９】
制御ソフトウェア１２７は、デジタル放送装置１０１から送出されるトランスポートストリームに多重化されたテーブル類の分離、抽出を制御するものであり、ＡＴＴ監視部１２８と、キャッシュ制御部１２９とをＣＰＵ１２６の動作によって実現する。
今、図３に示したトランスポートストリーム３０１がデジタル放送装置から送出され、時刻ｔ０でデジタル放送受信装置の電源がオンにされた場合、キャッシュ制御部１２９は、図４のフローチャートに示す動作を行なう。
【００３０】
先ず、キャッシュ制御部１２９のタスクが起動し、ＣＰＵ１２６の動作のもと、ＰＩＤフィルタ１３３にＰＡＴに割り当てられたＰＩＤ「０×００」を設定し、セクションフィルタ１３４にｔａｂｌｅ＿ｉｄの値を設定する（Ｓ４０２）。トランスポートストリーム３０１に多重されたＰＡＴを取得すると、メモリ１３１に記憶させ（Ｓ４０４）、ＰＩＤフィルタ１３３とセクションフィルタ１３４とに設定した値を削除して、フィルタ資源を解放する（Ｓ４０６）。
【００３１】
キャッシュ制御部１２９は、取得したＰＡＴの内容を解析し、ＰＭＴのＰＩＤとｔａｂｌｅ＿ｉｄとを取得する（Ｓ４０８）。取得したＰＭＴのＰＩＤをＰＩＤフィルタ１３３にｔａｂｌｅ＿ｉｄをセクションフィルタ１３４にそれぞれ設定し（Ｓ４１０）、ＰＭＴを抽出し、メモリ１３１に記憶させ（Ｓ４１２）、フィルタ資源を解放する（Ｓ４１４）。ＰＡＴから取得したＰＩＤとｔａｂｌｅ＿ｉｄとで識別される全てのＰＭＴを取得できたか否か判定し（Ｓ４１６）、否の時にはＳ４１０に戻る。これによって、トランスポートストリーム３０１からＰＭＴ（１）、ＰＭＴ（２）、ＰＭＴ（３）を取得する。
【００３２】
次に、キャッシュ制御部１２９は、トランスポートストリーム３０１に多重化されたＮＩＴを抽出するため、ＰＩＤフィルタ１３３とセクションフィルタ１３４とに、ＮＩＴのＰＩＤの値「０×１１」とｔａｂｌｅ＿ｉｄの値とをそれぞれ設定する（Ｓ４１８）。ＮＩＴを取得すると、メモリ１３１に記憶させ、セクションフィルタ１３４にＳＤＴのｔａｂｌｅ＿ｉｄの値を順次設定して、ＳＤＴを取得し、メモリ１３１に記憶させる（Ｓ４２２）。これによって、ＮＩＴ、ＳＤＴ（１）、ＳＤＴ（２）、ＳＤＴ（３）が取得される。
【００３３】
キャッシュ制御部１２９は、フィルタ資源を解放し（Ｓ４２４）、ＥＩＴに割り当てられたＰＩＤ「０×１２」をＰＩＤフィルタ１３３に設定し、セクションフィルタ１３４に順次ｔａｂｌｅ＿ｉｄの値を設定して（Ｓ４２６）、ＥＩＴを取得し、メモリ１３１に記憶させる（Ｓ４２８）。これによって、トランスポートストリーム３０１に多重されたＥＩＴ（１）、ＥＩＴ（２）、ＥＩＴ（３）が取得される。
【００３４】
キャッシュ制御部１２９は、ＡＴＴに割り当てられたＰＩＤ「０×３０」をＰＩＤフィルタ１３３に設定し、ｔａｂｌｅ＿ｉｄの値をセクションフィルタ１３４に設定し（Ｓ４３４）、トランスポートストリーム３０１からＡＴＴを取得し、メモリ１３１に記憶させる（Ｓ４３４）。
なお、このトランスポートストリーム３０１からＰＡＴ等のテーブルを取得する状態を図５に模式的に示している。
【００３５】
キャッシュ制御部１２９は、フィルタ資源を解放し（Ｓ４３６）、キャッシュ情報リストを作成する（Ｓ４３８）。
図６は、作成されたキャッシュ情報リストを示している。キャッシュ情報リスト６０１は、メモリ１３１に記憶されている各テーブル類の情報を示し、ＡＴＴ２０１の各テーブルの情報２０４に対応するものである。
【００３６】
キャッシュ制御部１２９は、ＡＴＴ監視部１２８のタスクを起動し（Ｓ４４０）、休止状態に入る（Ｓ４４２）。
次に図７、図８のフローチャートを用いてＡＴＴ監視部１２８の動作を説明する。
なお、ＡＴＴ監視部１２８も、制御ソフトウェア１２７に従いＣＰＵ１２６が動作して実現される。
【００３７】
ＡＴＴ監視部１２８は、キャッシュ制御部１２９により起動されると、ＰＩＤフィルタにＡＴＴのＰＩＤ「０×３０」を設定し、セクションフィルタ１３４にｔａｂｌｅ＿ｉｄの値と、既にメモリ１３１に記憶したＡＴＴのバージョン番号を更新した値とを設定し（Ｓ７０２）、休止状態となる（Ｓ７０４）。
ＡＴＴ監視部１２８は、時刻ｔ１になるとトランスポートストリーム３０１からバージョン番号の更新されたＡＴＴ’を取得し、メモリ１３１にすでに記憶されているＡＴＴに上書きする（Ｓ８０２）。次に、ＡＴＴ’から各テーブルの情報をリストとした有効テーブル情報を作成し（Ｓ８０４）、キャッシュ制御部１２９のタスクを起動し（Ｓ８０８）、休止状態となる（Ｓ８０８）。
【００３８】
ＡＴＴ監視部１２８で作成された有効テーブル情報リストを図９に示す。有効テーブル情報リスト９０１には、時刻ｔ１において、更新されるテーブルや、新たにトランスポートストリーム３０１に多重されるテーブルやトランスポートストリーム３０１に多重されなくなったテーブルの情報が記載されている。
次に、図１０のフローチャートを用いて、再びキャッシュ制御部１２９の動作を説明する。
【００３９】
キャッシュ制御部１２９は、ＡＴＴ監視部１２８に起動されると、ＡＴＴ監視部１２８で作成された有効テーブル情報リスト９０１を取得する（Ｓ１００２）。
キャッシュ制御部１２９は、有効テーブル情報リスト９０１から１要素、即ち１つのテーブルの情報を取得し（Ｓ１００４）、先程作成したキャッシュ情報リスト６０１と同一の要素があるか否かを識別情報を比較して判定する（Ｓ１００６）。なければ、Ｓ１０１４に進む。あるときには、バージョン番号を比較し、バージョンアップされているか否かを判定する（ｓ１００８）。
【００４０】
バージョン番号の値が異なっていれば、バージョンアップされていると判定し、Ｓ１０１４に進む。バージョンアップされていなければ、有無フラグが「ｅｘｉｓｔ」か否かを判定する（Ｓ１０１０）。「ｅｘｉｓｔ」であればＳ１００４に戻り、「ｎｏｎ」であれば、トランスポートストリーム３０１に多重されなくなったので、メモリ１３１に記憶されている当該テーブルを削除する（Ｓ１０１２）。
【００４１】
有効テーブル情報リスト９０１に記載のＰＭＴ（３）とＳＤＴ（３）とが、これに該当する。これによって、メモリ１３１の記憶領域の有効利用が図れる。
Ｓ１０１４において、キャッシュ制御部１２９は、Ｓ１００６において新たなテーブルと判定されたテーブルのＰＩＤとｔａｂｌｅ＿ｉｄとをＰＩＤフィルタ１３３とセクションフィルタ１３４とにそれぞれ設定する。これによって、トランスポートストリーム３０１に新たに多重化されたテーブルを取得し、メモリ１３１に記憶させる（Ｓ１０１６）。有効テーブル情報リスト９０１のＳＤＴ（４）が該当する。
【００４２】
キャッシュ制御部１２９は、Ｓ１０１４において、Ｓ１００８でバージョンアップしたと判定されたテーブルのＰＩＤとｔａｂｌｅ＿ｉｄとをＰＩＤフィルタ１３３とセクションフィルタ１３４とにそれぞれ設定する。これによって、バージョンアップされたテーブルを取得し、メモリ１３１に記憶されている当該テーブルに上書きする。有効テーブル情報リスト９０１のＰＡＴとＥＩＴ（３）とが該当する。
【００４３】
キャッシュ制御部１２９は、フィルタ資源を解放し（Ｓ１０１８）、有効テーブル情報リストの全ての要素を取得したか否かを判定し（Ｓ１０２０）、否であればＳ１００４に戻り、肯定であれば、メモリ１３１の更新したテーブルに対応したキャッシュ情報リストを作成し（Ｓ１０２２）、ＡＴＴ監視部１２８を起動して、休止状態となる（Ｓ１０２４）。
【００４４】
なお、上記実施の形態のキャッシュ制御部１２９は、図４に示したフローチャートに従い、各テーブルを取得したけれども各テーブルの取得順序は、ＰＭＴに先行してＰＡＴを取得できればよく、その他のテーブルの取得順序は問わない。また、ＡＴＴについて、ＰＩＤの値を「０×３０」としたけれども、これ以外のパケット識別子が割り当てられてもよい。
【００４５】
また、本実施の形態では、ＰＩＤフィルタ１３３とセクションフィルタ１３４とは、１組で実現するよう記載したけれども、各テーブル類とＡＴＴとにそれぞれ１組づつ２組のＰＩＤフィルタ１３３とセクションフィルタ１３４とを備えるようにしてもよい。これによって、テーブル内容の更新に迅速に対応することができる。
【００４６】
なお、本実施の形態のように、ＡＴＴを取得できない従来例の場合には、図３に示したＡＴＴを除く各テーブルのバージョンアップを常時待ち受けるため、ＰＩＤフィルタを６個、セクションフィルタを１１個用意する必要がある。
（実施の形態２）
本発明に係るデジタル放送装置とデジタル放送受信装置の実施の形態２について説明する。
【００４７】
本実施の形態の構成図は、図１に示したものであり、上記実施の形態１の構成に加えて、デジタル放送受信装置１２１は、制御ソフトウェア１２７に従うＣＰＵ１２６の動作により実現されるキャッシュスケジュール管理部１３０と、タイマ１３２とを備えている。
上記実施の形態１では、ＰＡＴ等のテーブル類が更新されたとき、ＡＴＴのバージョン番号がバージョンアップされたけれども、本実施の形態では、ＡＴＴの各テーブルの情報として記載されている有効期限を用いて、ＡＴＴの更新頻度を少なくしようとするものである。即ち、テーブルがトランスポートストリームに新たに多重化されるときや、トランスポートストリームへの多重化が停止されるときに、ＡＴＴのバージョンを更新しないようしたものである。
【００４８】
図１１は、トランスポートストリームに多重化されたテーブルを模式的に示した図である。
トランスポートストリーム１１０１の左端が時刻ｔｘであり、右端が時刻ｔｙであり、時刻ｔａでＡＴＴが更新され、時刻ｔｂでＳＤＴ（３）、ＰＭＴ（３）のトランスポートストリーム１１０１への多重化が停止され、時刻ｔｃで新たにＳＤＴ（４）がトランスポートストリーム１１０１に多重化される。
【００４９】
以下、本実施の形態固有の構成について説明する。
図１２は、時刻ｔａでバージョンアップされたＡＴＴ’の各テーブルの情報内容を示す図である。ＰＭＴ（３）、ＳＤＴ（３）、ＳＤＴ（４）に有効期限が記載されている。
図１３のフローチャートを用いてＡＴＴ監視部１２８の動作を説明する。
【００５０】
ＡＴＴ監視部１２８は、ＴＳデコーダ１２４で分離、抽出されたバージョンアップされたＡＴＴ’１２０１を取得する（Ｓ１３０２）。取得したＡＴＴ’１２０１のテーブルの内容を解釈し、有無フラグが「ｎｏｎ」であるテーブルを除外して有効テーブル情報リストを作成する（Ｓ１３０４）。
図１４に有効テーブル情報リストを示す。有効テーブル情報リスト１４０１には、ＡＴＴ’１２０１に記載されたＳＤＴ（４）が除外されている。有効テーブル情報リスト１４０１には、時刻ｔａでトランスポートストリーム１１０１に多重化されているテーブルの一覧が記載されている。
【００５１】
次に、ＡＴＴ監視部１２８は、ＡＴＴ’１２０１のテーブルの内容から有効期限に無効値「−１」以外の値が記載されたテーブルを取得し、有効期限情報リストを作成する（Ｓ１３０６）。有効期限情報リストの作成後、キャッシュ制御部１２９を起動し（ｓ１３０８）、キャッシュスケジュール管理部１３０を起動して（Ｓ１３１０）、休止状態となる（Ｓ１３１２）。
【００５２】
図１５は、ＡＴＴ監視部１２８で作成された有効期限情報リストである。有効期限情報リスト１５０１は、有効期限のあるテーブルの一覧である。有効期限には、始期と終期とが記載されている。例えば、ＰＭＴ（３）では、時刻ｔｘが始期であり、時刻ｔｂが終期となる。
次に、制御ソフトウェア１２７に従い、ＣＰＵ１２６の動作により実現されるキャッシュスケジュール管理部１３０の動作を図１６に示すフローチャートを用いて説明する。
【００５３】
キャッシュスケジュール管理部１３０は、ＡＴＴ監視部１２８に起動されると、有効期限情報リスト１５０１から１要素、即ち１つのテーブルの情報を取得し（Ｓ１６０２）、自身が作成するキャッシュスケジュールリストに同じ識別情報の要素が既にあるか否かを判定し（ｓ１６０４）、あるときには、Ｓ１６２４に移る。ないときには、新たなイベントを生成する必要があるので、タイマ１３２から現在時刻を取得し（Ｓ１６０６）、有効期限の始期の時刻が現在時刻の後か否かを判定する（Ｓ１６０８）。否であれば、Ｓ１６１６に移り、肯定のときには、有無フラグが「ｎｏｎ」か否かを判定する（Ｓ１６１０）。否のときには、Ｓ１６１８に移り、肯定のときは、タイマ１３２に出現イベントをセットする（Ｓ１６１２）。次にキャッシュスケジュールリストに当該出現イベントを追加記録し（Ｓ１６１４）、Ｓ１６２４に移る。これによって、ＳＤＴ（４）の出現イベントがキャッシュスケジュールリストに記録される。
【００５４】
キャッシュスケジュール管理部１３０は、Ｓ１６０８ｄｅ前であると判定したとき、終期の時刻が現在時刻の後か否かを判定する（ｓ１６１６）。後であるとき、有無フラグが「ｅｘｉｓｔ」か否かを判定し（Ｓ１６１８）、「ｅｘｉｓｔ」のとき、消失イベントをタイマ１３２に設定し（Ｓ１６２０）、キャッシュスケジュールリストに消失イベントを記録し（Ｓ１６２２）、Ｓ１６２４に移る。このＳ１６１６〜Ｓ１６２２の処理によって、ＰＭＴ（３）、ＳＤＴ（３）の消失イベントがキャッシュスケジュールに記録される。
【００５５】
なお、Ｓ１６１０、Ｓ１６１８における有無フラグの判定は、省略可能である。
次に、キャッシュスケジュール管理部１３０は、有効期限情報リスト１５０１の全ての要素を取得したか否かを判定し（Ｓ１６２４）、否のときはＳ１６０２にｉ戻り、肯定のときは処理を終了する。
【００５６】
このキャッシュスケジュール管理部１３０によって作成されたキャッシュスケジュールリストを図１７に示す。
キャッシュスケジュールリスト１７０１には、イベントの発生時刻１７０２とイベントの種類１７０３と識別情報１７０４とが記載されている。このキャッシュスケジュールリストに記載されたイベントは、タイマ１３２に設定されている。
【００５７】
タイマ１３２は、時刻を計時し、設定されたイベントの発生時刻になると、キャッシュ制御部１２９にイベントを通知する。
キャッシュ制御部１２９は、上記実施の形態１の構成に加え、以下のような構成を有する。
キャッシュ制御部１２９の動作を消失イベントの発生と出現イベントの発生とに分けて、図１８と図１９とのフローチャートを用いて説明する。なお、キャッシュ制御部１２９は、制御ソフトウェア１２７に従い、ＣＰＵ１２６の動作により実現されるのは、上記実施の形態１と同様である。
【００５８】
キャッシュ制御部１２９は、タイマ１３２から消失イベント発生時刻になると起動され、キャッシュスケジュール管理部１３０で作成されたキャッシュスケジュールリスト１７０１から当該消失イベントの識別情報を取得し（Ｓ１８０２）、自身が作成しているキャッシュ情報リスト６０１（図６参照）に同一の識別情報があるか否かを判定する（Ｓ１８０４）。なければ、処理を終了する。あるときには、メモリ１３１に記憶されている当該テーブルを削除し（Ｓ１８０６）、キャッシュ情報リスト６０１から当該テーブルの情報を削除して更新し（Ｓ１８０８）、処理を終了する。
【００５９】
即ち、消失イベントはトランスポートストリーム１１０１に多重化されなくなたテーブルであるので、最早メモリ１３１に記憶させておく必要がなくなったからである。
次に、キャッシュ制御部１２９は、タイマ１３２から出現イベント発生時刻になると起動され、キャッシュスケジュール管理部１３０で作成されたキャッシュスケジュールリスト１７０１から当該出現イベントの識別情報を取得し（Ｓ１９０２）、キャッシュ情報リスト６０１に同一の識別情報があるか否かを判定する（Ｓ１９０４）。あるときには、処理を終了し、ないときには、ＴＳデコーダ１２４のＰＩＤフィルタ１３３に当該テーブルのＰＩＤをセクションフィルタ１３４に当該テーブルのｔａｂｌｅ＿ｉｄの値をそれぞれ設定する（Ｓ１９０６）。
【００６０】
ＴＳデコーダ１２４で当該テーブルが分離、抽出されると、それを取得し、メモリ１３１に記憶させ（Ｓ１９０８）、フィルタ資源を解放し（Ｓ１９１０）、キャッシュ情報リストに当該テーブルの情報を記録して更新し（Ｓ１９１２）、処理を終了する。
このように、ＡＴＴ２０１の有効期限を利用することにより、トランスポートストリーム１１０１に多重化されなくなったテーブルや新たに多重化されることになったテーブルが生じるごとにＡＴＴ２０１のバージョンアップをする必要がなくなる。
【００６１】
なお、本実施の形態では、トランスポートストリーム１１０１へのテーブルの多重化の始期と終期とを有効期限に記載して、ＡＴＴ２０１の更新に替えることとしたけれども、更に、テーブルのバージョンアップの時期についても有効期限に記載することにして、イベントを発生させるようにすると、更にＡＴＴ２０１の更新頻度を少なくすることができる。
【００６２】
【発明の効果】
以上説明したように、本発明は、映像・音声データが多重化されたトランスポートストリームを受信して映像・音声データを出力するデジタル放送受信装置であって、前記トランスポートストリームに繰り返し多重化され、前記映像・音声データの抽出と出力とのための情報が記載されたテーブル類を抽出する第１抽出手段と、  抽出されたテーブル類を記憶する記憶手段と、前記トランスポートストリームに繰り返し多重化され、前記テーブル類それぞれの識別情報とバージョン番号とを記載した情報テーブルを抽出する第２抽出手段と、抽出された情報テーブルを解釈し、バージョン番号の更新された識別情報で識別されるテーブルだけを前記第１抽出手段に抽出させ、前記記憶手段の内容を更新させる制御手段とを備えることとしている。このような構成によって、テーブル類がバージョンアップするのを監視するため、常時、各テーブルを抽出できるように第１抽出手段を用意する必要がなくなる。
【００６３】
また、前記情報テーブルには、自身のバージョン番号が記載されており、前記テーブル類の識別情報とバージョン番号とに変更があるとき、自身のバージョン番号が更新されており、前記第２抽出手段は、情報テーブルのバージョン番号が更新されたとき、情報テーブルを抽出することとしている。このような構成によって、情報テーブルのバージョン番号が更新されたことを知ることができる。
【００６４】
また、前記テーブル類は、トランスポートストリームパケットにセクション形式のテーブルとして各々収容され、各テーブルは、パケット識別子とテーブル識別子とで識別され、前記第１抽出手段は、パケットフィルタとセクションフィルタとを有し、前記制御手段は、前記第１抽出手段で抽出され、記憶手段に記憶されている各テーブルの前記情報テーブルの対応する内容を記載した情報リストを作成する情報リスト作成部と、前記情報リストに記載のバージョン番号と前記第２抽出手段で抽出された情報テーブルの各テーブルのバージョン番号とを比較する比較部と、前記比較部で情報テーブルに記載されたテーブルのバージョン番号の更新されたテーブルを識別するパケット識別子をパケットフィルタに、テーブル識別子をセクションフィルタにそれぞれ設定するフィルタ条件設定部とを有することとしている。このような構成によって、１組のパケットフィルタとセクションフィルタとを用意すれば、更新されたテーブルを抽出することができ、フィルタ資源を確実に節約することができる。
【００６５】
また、前記情報テーブルに記載された識別情報は、各テーブルのパケット識別子とテーブル識別子であることとしている。このような構成によって、ＡＴＴの内容を解釈するだけで、パケットフィルタとセクションフィルタとに容易にフィルタ条件を設定することができる。
また、前記第１抽出手段は、前記フィルタ条件設定部によりパケットフィルタとセクションフィルタに抽出条件を設定され、テーブルを抽出したときには、バージョン番号の古いテーブルが前記記憶手段に記憶されているとき、当該テーブルに上書きすることとしている。このような構成によって、記憶手段に記憶されたテーブルが更新されたとき、記憶領域を無駄にすることなく記憶させることができる。
【００６６】
また、前記情報テーブルには、更にテーブル類それぞれが前記トランスポートストリームに多重化されているか否かを示すフラグが記載されており、前記制御手段は、多重化されていないことを示すフラグが記載されたテーブルを前記記憶手段から削除し、前記情報リストから削除する削除部を有することとしている。このような構成によって、不必要となったテーブルを記憶手段から省くことができる。
【００６７】
また、前記情報テーブルには、更に、テーブル類それぞれの有効期限が記載されており、前記制御手段は、前記有効期限の始期に到達したとき当該テーブルを抽出し、前記有効期限の終期に到達したとき当該テーブルを削除するスケジュールを作成するスケジュール作成部を有し、前記フィルタ条件設定部と削除部とは、前記スケジュールに従い処理することとしている。このような構成によって、情報テーブルの更新頻度を少なくすることができる。
【００６８】
また、本発明は、映像・音声データをトランスポートストリームに多重化する第１多重化手段と、映像・音声データの受信装置での出力とのための情報を記載したテーブル類を前記トランスポートストリームに繰り返し多重化する第２多重化手段と、前記テーブル類それぞれの識別情報とバージョン番号とを記載し、各テーブルが更新されたとき、自身のバージョン番号を更新した情報テーブルを前記トランスポートストリームに繰り返し多重化する第３多重化手段と、前記第１、第２、第３多重化手段で多重化されたトランスポートストリームを前記受信装置に送信する送信手段とを備えることとしている。このような構成によって、このデジタル放送装置から送信を受信するデジタル放送受信装置のフィルタ資源を節約することができる。
【００６９】
また、本発明は、映像・音声データが多重化されたトランスポートストリームを受信して映像・音声データを出力するデジタル放送受信装置に適用されるデジタル放送受信プログラムであって、前記トランスポートストリームに繰り返し多重化され、前記映像・音声データの抽出と出力とのための情報が記載されたテーブル類を抽出する第１抽出手段と、抽出されたテーブル類を記憶領域に記録する記録手段と、前記トランスポートストリームに繰り返し多重化され、前記テーブル類それぞれの識別情報とバージョン番号とを記載した情報テーブルを抽出する第２抽出手段と、抽出された情報テーブルを解釈し、バージョン番号の更新された識別情報で識別されるテーブルだけを前記第１抽出手段に抽出させ、前記記憶領域の内容を更新させる制御手段との各手段の機能をコンピュータに発揮させることとしている。このようなデジタル放送受信プログラムをデジタル放送受信装置に適用することによって、ハード資源であるフィルタの多用を防止することができる。
【図面の簡単な説明】
【図１】本発明に係るデジタル放送装置及びデジタル放送受信装置の一実施の形態の構成図である。
【図２】実施の形態１のデジタル放送装置の情報テーブル生成部で生成される有効テーブル情報テーブルのデータ構造の一例を示す図である。
【図３】上記実施の形態のデジタル放送装置から送信されるテーブル類の多重化されたトランスポートストリームを模式的に示した図である。
【図４】上記実施の形態のデジタル放送受信装置のキャッシュ制御部の初期動作を説明するフローチャートである。
【図５】上記実施の形態のトランスポートストリームからＴＳデコーダで各テーブルを分離、抽出する状態を模式的に示した図である。
【図６】上記実施の形態のキャッシュ制御部で作成されたキャッシュ情報リストの一例を示す図である。
【図７】上記実施の形態のＡＴＴ監視部の動作を説明するフローチャートである。
【図８】上記実施の形態のＡＴＴ監視部の動作を説明するフローチャートである。
【図９】上記実施の形態のＡＴＴ監視部で作成された有効テーブル情報リストの一例を示す図である。
【図１０】上記実施の形態のキャッシュ制御部の動作を説明するフローチャートである。
【図１１】本発明に係るデジタル放送装置およびデジタル放送受信装置の実施の形態２において送信されるトランスポートストリームを模式的に示した図である。
【図１２】上記実施の形態のＡＴＴ監視部が時刻ｔａ直後に取得する更新されたＡＴＴ’の内容の一例を示す図である。
【図１３】上記実施の形態のＡＴＴ監視部の動作を説明するフローチャートである。
【図１４】上記実施の形態のＡＴＴ監視部で時刻ｔａ直後に作成された有効テーブル情報リストである。
【図１５】上記実施の形態のＡＴＴ監視部で時刻ｔａ直後に作成された有効期限情報リストである。
【図１６】上記実施の形態のキャッシュスケジュール管理部の動作を説明するフローチャートである。
【図１７】上記実施の形態のキャッシュスケジュール管理部で作成されたキャッシュスケジュールリストと一例を示す図である。
【図１８】上記実施の形態のキャッシュ制御部の消失イベントに対する動作を説明するフローチャートである。
【図１９】上記実施の形態のキャッシュ制御部の出現イベントに対する動作を説明するフローチャートである。
【符号の説明】
１０１  デジタル放送装置
１０２  映像データ記憶部
１０３  音声データ記憶部
１０４  第１多重化部
１０５  テーブル記憶部
１０６  第２多重化部
１０７  情報テーブル生成部
１０８  情報テーブル記憶部
１０９  第３多重化部
１１０  送信部
１２１  デジタル放送受信装置
１２２  チューナ
１２３  復調器
１２４  ＴＳデコーダ
１２５  ＡＶデコーダ
１２６  ＣＰＵ
１２７  制御ソフトウェア
１２８  有効テーブル情報テーブル監視部
１２９  キャッシュ制御部
１３０  キャッシュスケジュール管理部
１３１  メモリ
１３２  タイマ
１３３  ＰＩＤフィルタ
１３４  セクションフィルタ
【図１】
2004254130.tif 000003
【図２】
2004254130.tif 000004
【図３】
2004254130.tif 000005
【図４】
2004254130.tif 000006
【図５】
2004254130.tif 000007
【図６】
2004254130.tif 000008
【図７】
2004254130.tif 000009
【図８】
2004254130.tif 000010
【図９】
2004254130.tif 000011
【図１０】
2004254130.tif 000012
【図１１】
2004254130.tif 000013
【図１２】
2004254130.tif 000014
【図１３】
2004254130.tif 000015
【図１４】
2004254130.tif 000016
【図１５】
2004254130.tif 000017
【図１６】
2004254130.tif 000018
【図１７】
2004254130.tif 000019
【図１８】
2004254130.tif 000020
【図１９】
2004254130.tif 000021
【手続補正書】
【提出日】平成16年2月5日(2004.2.5)
【手続補正２】
【補正対象書類名】明細書
【補正対象項目名】特許請求の範囲
【補正方法】変更
【補正の内容】
【特許請求の範囲】
【請求項１】
映像データ及び／又は音声データが多重化されたトランスポートストリームを受信して映像データ及び／又は音声データを出力するデジタル放送受信装置であって、
パケットフィルタとセクションフィルタとを有し、前記トランスポートストリームに繰り返し多重化され、トランスポートストリームパケットにセクション形式のテーブルとして各々収容され、各テーブルは、パケット識別子とテーブル識別子とで識別され、前記映像データ及び／又は音声データの抽出と出力とのための情報が記載されたテーブル類を抽出する第１抽出手段と、
抽出されたテーブル類を記憶する記憶手段と、
前記トランスポートストリームに繰り返し多重化され、前記テーブル類それぞれの識別情報とバージョン番号と、前記テーブル類の識別情報とバージョン番号とに変更があるとき、更新される自身のバージョン番号とが記載された情報テーブルを、情報テーブル自身のバージョン番号が更新されたとき抽出する第２抽出手段と、
抽出された情報テーブルを解釈し、バージョン番号の更新された識別情報で識別されるテーブルを前記第１抽出手段に抽出させ、前記記憶手段の内容を更新させる制御手段とを備え、
前記制御手段は、
前記第１抽出手段で抽出され、記憶手段に記憶されている各テーブルの前記情報テーブルの対応する内容を記載した情報リストを作成する情報リスト作成部と、
前記情報リストに記載のバージョン番号と前記第２抽出手段で抽出された情報テーブルの各テーブルのバージョン番号とを比較する比較部と、
前記比較部で情報テーブルに記載されたテーブルのバージョン番号の更新されたテーブルを識別するパケット識別子をパケットフィルタに、テーブル識別子をセクションフィルタにそれぞれ設定するフィルタ条件設定部とを有することを特徴とするデジタル放送受信装置。
【請求項２】
前記情報テーブルに記載された識別情報は、各テーブルのパケット識別子とテーブル識別子であることを特徴とする請求項１記載のデジタル放送受信装置。
【請求項３】
前記第１抽出手段は、前記フィルタ条件設定部によりパケットフィルタとセクションフィルタに抽出条件を設定され、テーブルを抽出したときには、バージョン番号の古いテーブルが前記記憶手段に記憶されているとき、当該テーブルに上書きすることを特徴とする請求項１記載のデジタル放送受信装置。
【請求項４】
前記情報テーブルには、更にテーブル類それぞれが前記トランスポートストリームに多重化されているか否かを示すフラグが記載されており、
前記制御手段は、
多重化されていないことを示すフラグが記載されたテーブルを前記記憶手段から削除し、前記情報リストから削除する削除部を有することを特徴とする請求項１記載のデジタル放送受信装置。
【請求項５】
前記情報テーブルには、更に、テーブル類それぞれの有効期限が記載されており、
前記制御手段は、
前記有効期限の始期に到達したとき当該テーブルを抽出し、前記有効期限の終期に到達したとき当該テーブルを削除するスケジュールを作成するスケジュール作成部を有し、
前記フィルタ条件設定部と削除部とは、前記スケジュールに従い処理することを特徴とする請求項４記載のデジタル放送受信装置。
【請求項６】
映像データ及び／又は音声データをトランスポートストリームに多重化する第１多重化手段と、
映像データ及び／又は音声データの受信装置での抽出と出力とのための情報を記載し、パケット識別子とテーブル識別子とで識別されるテーブル類を前記トランスポートストリームにセクション形式で繰り返し多重化する第２多重化手段と、
前記テーブル類それぞれの識別情報とバージョン番号とを記載し、各テーブルが更新されたとき、自身のバージョン番号を更新した情報テーブルを前記トランスポートストリームに繰り返し多重化する第３多重化手段と、
前記第１、第２、第３多重化手段で多重化されたトランスポートストリームを前記受信装置に送信する送信手段とを備えることを特徴とするデジタル放送装置。
【請求項７】
映像データ及び／又は音声データが多重化されたトランスポートストリームを受信して映像データ及び／又は音声データを出力するデジタル放送受信方法であって、
パケットフィルタとセクションフィルタとを有し、前記トランスポートストリームに繰り返し多重化され、トランスポートストリームパケットにセクション形式のテーブルとして各々収容され、各テーブルは、パケット識別子とテーブル識別子とで識別され、前記映像データ及び／又は音声データの抽出と出力とのための情報が記載されたテーブル類を抽出する第１抽出ステップと、
抽出されたテーブル類を記憶領域に記録する記録ステップと、
前記トランスポートストリームに繰り返し多重化され、前記テーブル類それぞれの識別情報とバージョン番号と、前記テーブル類の識別情報とバージョン番号とに変更があるとき、更新される自身のバージョン番号とが記載された情報テーブルを、情報テーブル自身のバージョン番号が更新されたとき抽出する第２抽出ステップと、
抽出された情報テーブルを解釈し、バージョン番号の更新された識別情報で識別されるテーブルを前記第１抽出ステップに抽出させ、前記記録ステップの内容を更新させる制御ステップとを有し、
前記制御ステップは、
前記第１抽出ステップで抽出され、記録ステップで記録されている各テーブルの前記情報テーブルの対応する内容を記載した情報リストを作成する情報リスト作成サブステップと、
前記情報リストに記載のバージョン番号と前記第２抽出ステップで抽出された情報テーブルの各テーブルのバージョン番号とを比較する比較サブステップと、
前記比較サブステップで情報テーブルに記載されたテーブルのバージョン番号の更新されたテーブルを識別するパケット識別子をパケットフィルタに、テーブル識別子をセクションフィルタにそれぞれ設定するフィルタ条件設定サブステップとを有することを特徴とするデジタル放送受信方法。
【請求項８】
映像データ及び／又は音声データをトランスポートストリームに多重化する第１多重化ステップと、
映像データ及び／又は音声データの受信装置での抽出と出力とのための情報を記載し、パケット識別子とテーブル識別子とで識別されるテーブル類を前記トランスポートストリームにセクション形式で繰り返し多重化する第２多重化ステップと、
前記テーブル類それぞれの識別情報とバージョン番号とを記載し、各テーブルが更新されたとき、自身のバージョン番号を更新した情報テーブルを前記トランスポートストリームに繰り返し多重化する第３多重化ステップと、
前記第１、第２、第３多重化ステップで多重化されたトランスポートストリームを前記受信装置に送信する送信ステップとを有することを特徴とするデジタル放送方法。
【請求項９】
映像データ及び／又は音声データが多重化されたトランスポートストリームを受信して映像データ及び／又は音声データを出力するデジタル放送受信装置に適用されるデジタル放送受信プログラムであって、
パケットフィルタとセクションフィルタとを有し、前記トランスポートストリームに繰り返し多重化され、トランスポートストリームパケットにセクション形式のテーブルとして各々収容され、各テーブルは、パケット識別子とテーブル識別子とで識別され、前記映像データ及び／又は音声データの抽出と出力とのための情報が記載されたテーブル類を抽出する第１抽出ステップと、
抽出されたテーブル類を記憶領域に記録する記録ステップと、
前記トランスポートストリームに繰り返し多重化され、前記テーブル類それぞれの識別情報とバージョン番号と、前記テーブル類の識別情報とバージョン番号とに変更があるとき、更新される自身のバージョン番号とが記載された情報テーブルを、情報テーブル自身のバージョン番号が更新されたとき抽出する第２抽出ステップと、
抽出された情報テーブルを解釈し、バージョン番号の更新された識別情報で識別されるテーブルを前記第１抽出ステップに抽出させ、前記記録ステップの内容を更新させる制御ステップとを有し、
前記制御ステップは、
前記第１抽出ステップで抽出され、記録ステップで記録されている各テーブルの前記情報テーブルの対応する内容を記載した情報リストを作成する情報リスト作成サブステップと、
前記情報リストに記載のバージョン番号と前記第２抽出ステップで抽出された情報テーブルの各テーブルのバージョン番号とを比較する比較サブステップと、
前記比較サブステップで情報テーブルに記載されたテーブルのバージョン番号の更新されたテーブルを識別するパケット識別子をパケットフィルタに、テーブル識別子をセクションフィルタにそれぞれ設定するフィルタ条件設定サブステップとの各ステップの手順をコンピュータに発揮させるデジタル放送受信プログラム。
【手続補正３】
【補正対象書類名】明細書
【補正対象項目名】０００１
【補正方法】変更
【補正の内容】
【０００１】
【発明の詳細な説明】
【発明の属する技術分野】
本発明は、映像データ及び／又は音声データが多重化されたトランスポートストリームを送受信するデジタル放送受信装置及びデジタル放送装置に関する。
【従来の技術】
デジタルＴＶ放送は、映像データや音声データから構成される番組の他にデータ番組も放送され、これらの番組は、トランスポートストリームに多重化され放送されている。これらの番組を受信装置で受信するため、種々の情報が同時にトランスポートストリームに多重化され、放送されている。これらの情報は、セクション形式のテーブルとして繰り返し放送されている（例えば、非特許文献１参照）。


【手続補正４】
【補正対象書類名】明細書
【補正対象項目名】００１２
【補正方法】変更
【補正の内容】
【００１２】
【課題を解決するための手段】
上記課題を解決するため、本発明は、映像データ及び／又は音声データが多重化されたトランスポートストリームを受信して映像データ及び／又は音声データを出力するデジタル放送受信装置であって、パケットフィルタとセクションフィルタとを有し、前記トランスポートストリームに繰り返し多重化され、トランスポートストリームパケットにセクション形式のテーブルとして各々収容され、各テーブルは、パケット識別子とテーブル識別子とで識別され、前記映像データ及び／又は音声データの抽出と出力とのための情報が記載されたテーブル類を抽出する第１抽出手段と、抽出されたテーブル類を記憶する記憶手段と、前記トランスポートストリームに繰り返し多重化され、前記テーブル類それぞれの識別情報とバージョン番号と、前記テーブル類の識別情報とバージョン番号とに変更があるとき、更新される自身のバージョン番号とが記載された情報テーブルを、情報テーブル自身のバージョン番号が更新されたとき抽出する第２抽出手段と、抽出された情報テーブルを解釈し、バージョン番号の更新された識別情報で識別されるテーブルを前記第１抽出手段に抽出させ、前記記憶手段の内容を更新させる制御手段とを備え、前記制御手段は、前記第１抽出手段で抽出され、記憶手段に記憶されている各テーブルの前記情報テーブルの対応する内容を記載した情報リストを作成する情報リスト作成部と、前記情報リストに記載のバージョン番号と前記第２抽出手段で抽出された情報テーブルの各テーブルのバージョン番号とを比較する比較部と、前記比較部で情報テーブルに記載されたテーブルのバージョン番号の更新されたテーブルを識別するパケット識別子をパケットフィルタに、テーブル識別子をセクションフィルタにそれぞれ設定するフィルタ条件設定部とを有することとしている。


【手続補正５】
【補正対象書類名】明細書
【補正対象項目名】００１３
【補正方法】変更
【補正の内容】
【００１３】
また、本発明は、映像データ及び／又は音声データをトランスポートストリームに多重化する第１多重化手段と、映像データ及び／又は音声データの受信装置での抽出と出力とのための情報を記載し、パケット識別子とテーブル識別子とで識別されるテーブル類を前記トランスポートストリームにセクション形式で繰り返し多重化する第２多重化手段と、前記テーブル類それぞれの識別情報とバージョン番号とを記載し、各テーブルが更新されたとき、自身のバージョン番号を更新した情報テーブルを前記トランスポートストリームに繰り返し多重化する第３多重化手段と、前記第１、第２、第３多重化手段で多重化されたトランスポートストリームを前記受信装置に送信する送信手段とを備えることとしている。


【手続補正６】
【補正対象書類名】明細書
【補正対象項目名】００１５
【補正方法】変更
【補正の内容】
【００１５】
デジタル放送装置１０１は、映像データ記憶部１０２と、音声データ記憶部１０３と、第１多重化部１０４と、テーブル記憶部１０５と、第２多重化部１０６と、情報テーブル生成部１０７と、情報テーブル記憶部１０８と、第３多重化部１０９と、送信部１１０とを備えている。
デジタル放送受信装置は、チューナ１２２と、復調器１２３と、ＴＳデコーダ１２４と、ＡＶデコーダ１２５と、ＣＰＵ１２６と、制御ソフトウェア１２７で実現される有効テーブル情報テーブル監視部１２８と、キャッシュ制御部１２９と、メモリ１３１とを備えている。ＴＳデコーダ１２４は、ＰＩＤフィルタ１３３とセクションフィルタ１３４とを含んでいる。


【手続補正７】
【補正対象書類名】明細書
【補正対象項目名】００５４
【補正方法】変更
【補正の内容】
【００５４】
キャッシュスケジュール管理部１３０は、Ｓ１６０８で前であると判定したとき、終期の時刻が現在時刻の後か否かを判定する（ｓ１６１６）。後であるとき、有無フラグが「ｅｘｉｓｔ」か否かを判定し（Ｓ１６１８）、「ｅｘｉｓｔ」のとき、消失イベントをタイマ１３２に設定し（Ｓ１６２０）、キャッシュスケジュールリストに消失イベントを記録し（Ｓ１６２２）、Ｓ１６２４に移る。このＳ１６１６〜Ｓ１６２２の処理によって、ＰＭＴ（３）、ＳＤＴ（３）の消失イベントがキャッシュスケジュールに記録される。


【手続補正８】
【補正対象書類名】明細書
【補正対象項目名】００５５
【補正方法】変更
【補正の内容】
【００５５】
なお、Ｓ１６１０、Ｓ１６１８における有無フラグの判定は、省略可能である。
次に、キャッシュスケジュール管理部１３０は、有効期限情報リスト１５０１の全ての要素を取得したか否かを判定し（Ｓ１６２４）、否のときはＳ１６０２に戻り、肯定のときは処理を終了する。


【手続補正９】
【補正対象書類名】明細書
【補正対象項目名】００６２
【補正方法】変更
【補正の内容】
【００６２】
【発明の効果】
以上説明したように、本発明は、映像データ及び／又は音声データが多重化されたトランスポートストリームを受信して映像データ及び／又は音声データを出力するデジタル放送受信装置であって、パケットフィルタとセクションフィルタとを有し、前記トランスポートストリームに繰り返し多重化され、トランスポートストリームパケットにセクション形式のテーブルとして各々収容され、各テーブルは、パケット識別子とテーブル識別子とで識別され、前記映像データ及び／又は音声データの抽出と出力とのための情報が記載されたテーブル類を抽出する第１抽出手段と、抽出されたテーブル類を記憶する記憶手段と、前記トランスポートストリームに繰り返し多重化され、前記テーブル類それぞれの識別情報とバージョン番号と、前記テーブル類の識別情報とバージョン番号とに変更があるとき、更新される自身のバージョン番号とが記載された情報テーブルを、情報テーブル自身のバージョン番号が更新されたとき抽出する第２抽出手段と、抽出された情報テーブルを解釈し、バージョン番号の更新された識別情報で識別されるテーブルを前記第１抽出手段に抽出させ、前記記憶手段の内容を更新させる制御手段とを備え、前記制御手段は、前記第１抽出手段で抽出され、記憶手段に記憶されている各テーブルの前記情報テーブルの対応する内容を記載した情報リストを作成する情報リスト作成部と、前記情報リストに記載のバージョン番号と前記第２抽出手段で抽出された情報テーブルの各テーブルのバージョン番号とを比較する比較部と、前記比較部で情報テーブルに記載されたテーブルのバージョン番号の更新されたテーブルを識別するパケット識別子をパケットフィルタに、テーブル識別子をセクションフィルタにそれぞれ設定するフィルタ条件設定部とを有することとしている。このような構成によって、情報テーブルのバージョン番号が更新されたことを知ることができ、テーブル類がバージョンアップするのを監視するため、常時、各テーブルを抽出できるように第１抽出手段を用意する必要がなくなる。更に、１組のパケットフィルタとセクションフィルタとを用意すれば、更新されたテーブルを抽出することができ、フィルタ資源を確実に節約することができる。
【手続補正１０】
【補正対象書類名】明細書
【補正対象項目名】００６３
【補正方法】削除
【補正の内容】
【手続補正１１】
【補正対象書類名】明細書
【補正対象項目名】００６４
【補正方法】削除
【補正の内容】
【手続補正１２】
【補正対象書類名】明細書
【補正対象項目名】００６８
【補正方法】変更
【補正の内容】
【００６８】
また、本発明は、映像データ及び／又は音声データをトランスポートストリームに多重化する第１多重化手段と、映像データ及び／又は音声データの受信装置での抽出と出力とのための情報を記載し、パケット識別子とテーブル識別子とで識別されるテーブル類を前記トランスポートストリームにセクション形式で繰り返し多重化する第２多重化手段と、前記テーブル類それぞれの識別情報とバージョン番号とを記載し、各テーブルが更新されたとき、自身のバージョン番号を更新した情報テーブルを前記トランスポートストリームに繰り返し多重化する第３多重化手段と、前記第１、第２、第３多重化手段で多重化されたトランスポートストリームを前記受信装置に送信する送信手段とを備えることとしている。このような構成によって、このデジタル放送装置から送信を受信するデジタル放送受信装置のフィルタ資源を節約することができる。
また、本発明は、映像データ及び／又は音声データが多重化されたトランスポートストリームを受信して映像データ及び／又は音声データを出力するデジタル放送受信方法であって、パケットフィルタとセクションフィルタとを有し、前記トランスポートストリームに繰り返し多重化され、トランスポートストリームパケットにセクション形式のテーブルとして各々収容され、各テーブルは、パケット識別子とテーブル識別子とで識別され、前記映像データ及び／又は音声データの抽出と出力とのための情報が記載されたテーブル類を抽出する第１抽出ステップと、抽出されたテーブル類を記憶領域に記録する記録ステップと、前記トランスポートストリームに繰り返し多重化され、前記テーブル類それぞれの識別情報とバージョン番号と、前記テーブル類の識別情報とバージョン番号とに変更があるとき、更新される自身のバージョン番号とが記載された情報テーブルを、情報テーブル自身のバージョン番号が更新されたとき抽出する第２抽出ステップと、抽出された情報テーブルを解釈し、バージョン番号の更新された識別情報で識別されるテーブルを前記第１抽出ステップに抽出させ、前記記録ステップの内容を更新させる制御ステップとを有し、前記制御ステップは、前記第１抽出ステップで抽出され、記録ステップで記録されている各テーブルの前記情報テーブルの対応する内容を記載した情報リストを作成する情報リスト作成サブステップと、前記情報リストに記載のバージョン番号と前記第２抽出ステップで抽出された情報テーブルの各テーブルのバージョン番号とを比較する比較サブステップと、前記比較サブステップで情報テーブルに記載されたテーブルのバージョン番号の更新されたテーブルを識別するパケット識別子をパケットフィルタに、テーブル識別子をセクションフィルタにそれぞれ設定するフィルタ条件設定サブステップとを有することとしている。
このような方法によって、情報テーブルのバージョン番号が更新されたことを知ることができ、テーブル類がバージョンアップするのを監視するため、常時、各テーブルを抽出できるように第１抽出ステップで抽出する必要がなくなる。更に、１組のパケットフィルタとセクションフィルタとを用意すれば、更新されたテーブルを抽出することができ、フィルタ資源を確実に節約することができる。
また、本発明は、映像データ及び／又は音声データをトランスポートストリームに多重化する第１多重化ステップと、映像データ及び／又は音声データの受信装置での抽出と出力とのための情報を記載し、パケット識別子とテーブル識別子とで識別されるテーブル類を前記トランスポートストリームにセクション形式で繰り返し多重化する第２多重化ステップと、前記テーブル類それぞれの識別情報とバージョン番号とを記載し、各テーブルが更新されたとき、自身のバージョン番号を更新した情報テーブルを前記トランスポートストリームに繰り返し多重化する第３多重化ステップと、前記第１、第２、第３多重化ステップで多重化されたトランスポートストリームを前記受信装置に送信する送信ステップとを有することとしている。
このような方法によって、このデジタル放送装置から送信を受信するデジタル放送受信装置のフィルタ資源を節約することができる。
【手続補正１３】
【補正対象書類名】明細書
【補正対象項目名】００６９
【補正方法】変更
【補正の内容】
【００６９】
また、映像データ及び／又は音声データが多重化されたトランスポートストリームを受信して映像データ及び／又は音声データを出力するデジタル放送受信装置に適用されるデジタル放送受信プログラムであって、パケットフィルタとセクションフィルタとを有し、前記トランスポートストリームに繰り返し多重化され、トランスポートストリームパケットにセクション形式のテーブルとして各々収容され、各テーブルは、パケット識別子とテーブル識別子とで識別され、前記映像データ及び／又は音声データの抽出と出力とのための情報が記載されたテーブル類を抽出する第１抽出ステップと、抽出されたテーブル類を記憶領域に記録する記録ステップと、前記トランスポートストリームに繰り返し多重化され、前記テーブル類それぞれの識別情報とバージョン番号と、前記テーブル類の識別情報とバージョン番号とに変更があるとき、更新される自身のバージョン番号とが記載された情報テーブルを、情報テーブル自身のバージョン番号が更新されたとき抽出する第２抽出ステップと、抽出された情報テーブルを解釈し、バージョン番号の更新された識別情報で識別されるテーブルを前記第１抽出ステップに抽出させ、前記記録ステップの内容を更新させる制御ステップとを有し、前記制御ステップは、前記第１抽出ステップで抽出され、記録ステップで記録されている各テーブルの前記情報テーブルの対応する内容を記載した情報リストを作成する情報リスト作成サブステップと、前記情報リストに記載のバージョン番号と前記第２抽出ステップで抽出された情報テーブルの各テーブルのバージョン番号とを比較する比較サブステップと、前記比較サブステップで情報テーブルに記載されたテーブルのバージョン番号の更新されたテーブルを識別するパケット識別子をパケットフィルタに、テーブル識別子をセクションフィルタにそれぞれ設定するフィルタ条件設定サブステップとの各ステップの手順をコンピュータに発揮させることとしている。このようなデジタル放送受信プログラムをデジタル放送受信装置に適用することによって、ハード資源であるフィルタの多用を防止することができる。